(57)【要約】      （修正有）【課題】１本の道具で降雪時の雪集め、排雪、また災害時の堆積した泥すくい等の作業が出来る、断続的に作業が出来、軽くて使い勝手の良い除雪排雪用具を提供する。【解決手段】底面が平で先端が薄い形状である先端部１と、そこから弧を描き立ち上がった形状の胴体部２からなる除雪排雪用具本体と、前記胴体部に排雪時の雪こぼれの防止を図るに適切な角度で取り付けられた柄５とを設ける。また、各部材の材料には、軽量化のため樹脂を用いて除雪排雪用具を形成する。【選択図】図１
0003175280.tif 000002
【実用新案登録請求の範囲】
【請求項１】
雪や泥等を掬いやすい先端形状、胴体部は雪等を、押し集め易い形状で胴体から伸びる柄は加える力を効率よく伝え、雪や泥等を掬う、又押す作業を安易にします。ポリカーボネイトやポリエチレンの使用により軽量な道具で、女性や力の弱い方でも使えるよう柄の角度を調整、人的負担を軽減し、短時間で綺麗な仕上がりを実現、また長時間の作業を可能にする。
除雪、排泄道具
【考案の詳細な説明】
【技術分野】
【０００１】本考案は、降雪時の除雪、堆積した泥等の排泄道具に関するものである
【背景技術】
【０００２】降雪時の除雪、堆積した泥等の排泄作業等において、人員で作業の際はスコップ、スノーダンプ、スノープッシャ等の道具にて行っている
【特許文献】
【０００３】公開番号
【考案の開示】
【考案が解決しようとする課題】
【０００４】現在、降雪時、災害時等の泥だし作業など、人員により行なっている場合。
スコップ等一般的な用具を使っている事から、無理な体勢での作業、時間が掛かるなど負担が大きい。
一本の道具で集める、掬う、均すなどが出来る軽量な排泄用具を作る事により前述の欠点を解決する
【課題を解決するための手段】
【０００５】本考案は、１本の道具で降雪時の雪集め、排雪、また災害時の堆積した泥すくい等の作業が出来る、断続的に作業が出来、軽くて使い勝手の良い用具を作る事から問題点を解決する
【考案の効果】
【０００６】上記の様に、本考案の除雪、排泄道具は雪や泥等を掬いやすい先端形状。胴体部は雪等を押し集め易い形状で胴体から伸びる柄は加える力を効率よく伝え、雪や泥等を掬うなど一連の作業を安易にします。ポリカーボネイトやポリエチレンの使用により軽量な道具で、女性や力の弱い方でも使用が安易で、人的負担が軽減され、短時間で綺麗な仕上がりを実現、また長時間の作業が可能になる。
【考案を実施するための最良の形態】
【０００７】平らな先端形状で雪や泥等を掬い、胴体の斜めの部分で集め、押していく等の効果が得られる。胴体から伸びる柄は加える力を逃さず先端部に伝え、胴体部の横や上部の形状が、雪や泥こぼれを防ぎ、効率良く掬う、押す等の作業を可能にする。また適切な樹脂の使用により軽量で作業に必要な強度が得られ、降雪時の除雪、堆積した泥等の排泄作業を行う為の軽くて丈夫な道具となる。胴体部に取り付けられた柄は作業時に自然に立ち無理の無い態勢で作業が出来る高さに設定される
また、用途により、除雪用具取り付け刃（登録３１６６７３９号）等を装着できる形状にしており、より効率良く作業が出来る
【実施例】
【０００８】以下、実施例は添付図面に沿って説明する
１の先端部は薄く徐々に厚くなる形状で雪や泥等が掬いやすく、先端から２の胴体部までの先端部に平らな部分を作る事により地形に沿っての作業が容易になる。３の先端は除雪用具取り付け刃等、が取り付けられる形状になっている。
２の胴体部凹凸により強度を増し、雪離れが良くなる。４の溢れ止部により雪等が横へ溢れるのを防ぐ。５の柄の部分は立って作業が出来る高さに成るよう長さを考慮している。６は胴体部に付けられた柄の取り付け部で加えた力が先端に伝わる様に角度を決めている
以上の構造で材料にポリカーボネイトやポリエチレン等の樹脂を使用、軽さと適切な厚さ補強により強度を持たせる。
【産業上の利用可能性】
【０００９】降雪時の除雪、堆積した泥等の排泄作業等、１本で複数の用途を持つ除雪、排泄道具は１年を通して使え、利用価値は高く、一般への普及が考えられる。
【図面の簡単な説明】
【０００１０】
【図１】本考案、除雪、排泄道具の実施例を示す平面及び全体図である
【符号の説明】
【００１１】  １  先端部
２  胴体部
３  除雪用具取り付け刃（登録３１６６７３９号）等、装着部
４  こぼれ止め部
５  柄
６  取り付け部
【図１】
0003175280.tif 000003
【手続補正書】
【提出日】平成23年11月15日(2011.11.15)
【手続補正１】
【補正対象書類名】実用新案登録請求の範囲
【補正対象項目名】全文
【補正方法】変更
【補正の内容】
【実用新案登録請求の範囲】
【請求項１】
底面が平で先端が薄い先端形状そこから弧を描き立ち上がった胴体部に取り付けられた柄の接続部の角度は押した際に先端部に力がかかるように調整されていて腰の高さまで延びた柄により立ったままでの作業が可能になる
少ない力で雪や泥を掬ったり押し集めたりする作業を容易にし樹脂を用いる事により軽量化を計った除雪排泄用具である
【手続補正書】
【提出日】平成24年2月9日(2012.2.9)
【手続補正１】
【補正対象書類名】実用新案登録請求の範囲
【補正対象項目名】全文
【補正方法】変更
【補正の内容】
【実用新案登録請求の範囲】
【請求項１】
・底面が平で先端が薄い形状である先端部と、そこから弧を描き立ち上がった形状の胴体部からなる除雪排雪用具本体と前記胴体部に所定の角度で取り付けられた柄とを有し、各部材の材料に樹脂を用いて形成された除雪排雪用具
【手続補正２】
【補正対象書類名】明細書
【補正対象項目名】全文
【補正方法】変更
【補正の内容】
【考案の詳細な説明】
【技術分野】
【０００１】本考案は、降雪時の除雪、排雪道具に関するものである
【背景技術】
【０００２】降雪時の除雪、排雪作業等において、人員で作業の際は
スコップ、スノーダンプ、スノープッシャ等の道具にて行っている
【考案の開示】
【考案が解決しようとする課題】
【０００３】現在、降雪時、人員により行なっている場合。スコップ等一般的な用具を使っている事から、無理な体勢での作業、時間が掛かるなど負担が大きい。
一本の道具で集める、掬う、均すなどが出来る軽量な排雪用具を作る事により前述の欠点を解決する
【課題を解決するための手段】
【０００４】本考案は、１本の道具で降雪時の雪集め、排雪、また災害時の堆積した泥すくい等の作業が出来る、断続的に作業が出来、軽くて使い勝手の良い用具を作る事から問題点を解決する
【考案の効果】
【０００５】上記の様に、本考案の除雪、排雪道具は雪や泥等を掬いやすい先端形状。胴体部は雪等を押し集め易い形状で胴体から伸びる柄は加える力を効率よく伝え、雪や泥等を掬うなど一連の作業を安易にします。ポリカーボネイトやポリエチレンの使用により軽量な道具で、女性や力の弱い方でも使用が安易で、人的負担が軽減され、短時間で綺麗な仕上がりを実現、また長時間の作業が可能になる。
【考案を実施するための最良の形態】
【０００６】平らな刃先形状で雪や泥等を掬い、胴体の斜めの部分で集め、押していく等の効果が得られる。胴体から伸びる柄は加える力を逃さず先端部に伝え、胴体部の横や上部の形状が、雪や泥こぼれを防ぎ、効率良く掬う、押す等の作業を可能にする。また適切な樹脂の使用により軽量で作業に必要な強度が得られ、降雪時の除雪、堆積した泥等の排泄作業を行う為の軽くて丈夫な道具となる。胴体部に取り付けられた柄は作業時に自然に立ち無理の無い態勢で作業が出来る高さに設定される
また、用途により、除雪用具取り付け刃（登録３１６６７３９号）等を装着できる形状にしており、より効率良く作業が出来る
【実施例】
【０００７】以下、実施例は添付図面に沿って説明する。
１の刃先部は薄く徐々に厚くなる形状のため、雪や泥等を、掬うことが出来る。３の除雪用具取り付け刃等、装着部が内蔵されている
２胴体部は凹凸４のこぼれ止め部の形状により雪等を集めやすくしている
５は胴体部に取り付けられた柄の部分で自然に立って作業できる高さに成る様、６は胴体部に付けらてれる。
以上の構造で材料にポリカーボネイトやポリエチレンを使用、軽さと適切な厚さにより強度を持たせている。
柄と取り付け刃等、装着部は軽金属を使用している
【産業上の利用可能性】
【０００８】降雪時の除雪、排雪作業等、１本で複数の用途を持つ除雪、排雪道具は１年を通して使え、利用価値は高く、一般への普及が考えられる。
【図面の簡単な説明】
【０００９】
【図１】本考案、除雪、排雪道具の実施例を示す平面及び全体図である
【符号の説明】
【００１０】１  先端部
２  胴体部
３  除雪用具取り付け刃（登録３１６６７３９号）等、装着部
４  こぼれ止め部
５  柄
６  取り付け部